【手続補正書】
【提出日】平成29年9月27日(2017.9.27)
【手続補正１】
【補正対象書類名】明細書
【補正対象項目名】００５５
【補正方法】変更
【補正の内容】
【００５５】
本願明細書に記載の種々の構成要素は、体内で使用するのに安全な材料から構成するのが望ましい。一実施形態において、一体型コネクタ９８の構成要素を含む構成要素の多くは、チタン合金から作ることができる。
本願明細書の本発明を特定の実施形態に関連して説明したが、これらの実施形態は、本発明の原理および適用を単に例示するためのものであることを理解されたい。したがって、この例示的な実施形態に多数の変更を行うことができ、添付の請求項により定義される本発明の精神と範囲から逸脱することなく、他の装置を考案することができることを理解されたい。
【手続補正２】
【補正対象書類名】明細書
【補正対象項目名】００５６
【補正方法】変更
【補正の内容】
【００５６】
以下に本発明の実施形態を説明する。
[実施形態１]
クロスバーを脊椎固定構造物に固定するコネクタであって、
脊椎固定構造物の脊椎固定ロッドを内部に収容するように構成されたロッド受け部と、
前記脊椎固定ロッドが前記ロッド受け部内に収容されると、前記脊椎固定ロッドに対し略垂直な向きにクロスバーを内部に収容するように構成されたレセプタクルを有するクロスバー受け部と、
を備えるコネクタ。
[実施形態２]
前記クロスバー受け部が、前記レセプタクルを間に形成する第１アームと第２アームとを備える、実施形態１に記載のコネクタ。
[実施形態３]
前記第１アームと前記第２アームとが、前記レセプタクルの少なくとも一部に沿って互いに向かって内側を向くねじを備え、前記レセプタクルが、ねじ付きブロッカーを前記ねじと係合させて内部に収容するように構成された、実施形態２に記載のコネクタ。
[実施形態４]
前記コネクタの前記ロッド受け部が、間にスロットを形成する第１アームと第２アームとを備え、前記スロットが前記脊椎固定ロッドを通すように構成された、実施形態１に記載のコネクタ。
[実施形態５]
前記第１アームと前記第２アームとが、前記脊椎固定ロッドが前記スロットに挿入されると、互いに対して反るように構成された、実施形態４に記載のコネクタ。
[実施形態６]
クロスバーを脊椎固定構造物に固定するコネクタ組立品であって、
実施形態１に記載のコネクタと、
基端部と先端部とを有するカニューレであって、前記脊椎固定ロッドが前記ロッド受け部内に収容され、前記脊椎固定構造物が患者の身体の脊椎に挿入されると、前記カニューレの前記基端部が前記身体の皮膚の切開部を貫通するように配置されるように、前記先端部が前記コネクタに結合されたカニューレと、
を備えるコネクタ組立品。
[実施形態７]
前記カニューレが複数のブレードによって形成され、前記ブレードがそれぞれ前記コネクタの前記クロスバー受け部に分離可能に結合された先端部を有する、実施形態６に記載のコネクタ組立品。
[実施形態８]
前記ブレードはそれぞれ、前記コネクタの前記クロスバー受け部と一体形成され、前記ブレードの前記先端部がそれぞれ、脆弱部で前記クロスバー受け部に分離可能に結合された、実施形態７に記載のコネクタ組立品。
[実施形態９]
前記カニューレが、少なくとも前記カニューレの先端部に近接した部分に沿って、内面にねじを備え、前記ねじがねじ付きブロッカーと係合するように構成された、実施形態６に記載のコネクタ組立品。
[実施形態１０]
クロスバーを脊椎固定構造物に固定するシステムであって、
実施形態６に記載のコネクタ組立品と、
前記皮膚の前記切開部と、前記脊椎に挿入された前記脊椎固定構造物の前記脊椎固定ロッドとの間の経路であって、前記コネクタ組立品を通すように構成された経路を形成するように構成された拡張器と、
を備えるシステム。
[実施形態１１]
基端部と先端部との間に延びるシャフトを有し、前記シャフトが前記カニューレ内に収容される間、前記先端部が前記コネクタの前記クロスバー受け部と係合するように構成されたコネクタインサータをさらに備える、実施形態１０に記載のシステム。
[実施形態１２]
複数の請求項６に記載のコネクタ組立品と、
前記脊椎固定ロッドが前記ロッド受け部内に収容され、前記脊椎固定構造物が前記身体の脊椎に挿入される間、前記コネクタ組立品の各カニューレの基端部に同時に接続するように構成されたリンク機構と、
をさらに備える実施形態１０に記載のシステム。
[実施形態１３]
前記コネクタ組立品の前記カニューレ内に収容されるように構成された細長いエクステンダを備えたドリルであって、前記エクステンダが基端部と先端部とを有し、ドリルビットが前記エクステンダに対し略垂直に延びるように前記先端部が前記ドリルビットに接続されたドリルをさらに備える、実施形態１０に記載のシステム。
[実施形態１４]
基端部と先端部とを有し、前記先端部が前記クロスバーを選択的に固定および解放するよう動作できる接続構造を備えるクロスバーインサータをさらに備える、実施形態１０に記載のシステム。
[実施形態１５]
前記コネクタ組立品の前記カニューレを内部に収容するように構成された筒状部材を備えるパースエイダをさらに備える、実施形態１０に記載のシステム。
[実施形態１６]
前記コネクタ組立品の前記カニューレが複数のブレードによって形成され、前記ブレードがそれぞれ前記コネクタの前記クロスバー受け部と一体形成され、前記ブレードがそれぞれ脆弱部で前記コネクタの前記クロスバー受け部に分離可能に結合された先端部を有し、前記ブレードの１つを内部に収容するように構成された溝を有するブレードリムーバをさらに備える、実施形態１０に記載のシステム。
【手続補正３】
【補正対象書類名】特許請求の範囲
【補正対象項目名】全文
【補正方法】変更
【補正の内容】
【特許請求の範囲】
【請求項１】
クロスバーを脊椎固定構造物に固定するシステムであって、
基端部と、先端部と、前記基端部と前記先端部との間に延びる縦軸とを有するコネクタであって、前記コネクタはロッド受け部とクロスバー受け部とを有し、前記ロッド受け部は、前記コネクタの前記長軸に対し略垂直な向きに脊椎固定構造物の脊椎固定ロッドを内部に収容するように構成され、前記クロスバー受け部は、前記脊椎固定ロッドが前記ロッド受け部内に収容されると、前記コネクタの前記長軸と前記脊椎固定ロッドの両方に対し略垂直な向きに前記クロスバーを内部に収容するように構成されたレセプタクルを有する、コネクタと、
基端部と先端部とを有するカニューレと、
細長いエクステンダを備えたドリルであって、前記エクステンダは基端部と先端部とを有し、前記カニューレの前記先端部を前記コネクタの前記基端部に接続しながら前記脊椎固定構造物の前記脊椎固定ロッドが前記コネクタの前記ロッド受け部内に収容される間、前記カニューレ内に収容されるように構成され、前記エクステンダの前記先端部において前記ドリルの一部が前記コネクタ内に収容され、ドリルビットが前記エクステンダに対し略垂直に延びるように前記エクステンダの前記先端部が前記ドリルビットに接続されて、前記コネクタの横方向に配置される棘突起に孔をあけるように構成されている、ドリルと
を備えるシステム。
【請求項２】
前記クロスバー受け部が、前記レセプタクルを間に形成する第１アームと第２アームとを備える、請求項１に記載のシステム。
【請求項３】
前記第１アームと前記第２アームとが、前記レセプタクルの少なくとも一部に沿って互いに向かって内側を向くねじを備え、前記レセプタクルが、ねじ付きブロッカーを前記ねじと係合させて内部に収容するように構成された、請求項２に記載のシステム。
【請求項４】
前記コネクタの前記ロッド受け部が、間にスロットを形成する第１アームと第２アームとを備え、前記スロットが前記脊椎固定ロッドを通すように構成された、請求項１に記載のシステム。
【請求項５】
前記第１アームと前記第２アームとが、前記脊椎固定ロッドが前記スロットに挿入されると、互いに対して反るように構成された、請求項４に記載のシステム。
【請求項６】
前記カニューレが複数のブレードによって形成され、前記ブレードがそれぞれ前記コネクタの前記クロスバー受け部に分離可能に結合された先端部を有する、請求項１に記載のシステム。
【請求項７】
前記ブレードはそれぞれ、前記コネクタの前記クロスバー受け部と一体形成され、前記ブレードの前記先端部がそれぞれ、脆弱部で前記クロスバー受け部に分離可能に結合された、請求項６に記載のシステム。
【請求項８】
前記カニューレが、少なくとも前記カニューレの先端部に近接した部分に沿って、内面にねじを備え、前記ねじがねじ付きブロッカーと係合するように構成された、請求項１に記載のシステム。
【請求項９】
皮膚の切開部と、前記脊椎に挿入された前記脊椎固定構造物の前記脊椎固定ロッドとの間の経路であって、前記コネクタと前記カニューレとを通すように構成された経路を形成するように構成された拡張器をさらに備える、請求項１に記載のシステム。
【請求項１０】
基端部と先端部との間に延びるシャフトを有し、前記シャフトが前記カニューレ内に収容される間、前記先端部が前記コネクタの前記クロスバー受け部と係合するように構成されたコネクタインサータをさらに備える、請求項１に記載のシステム。
【請求項１１】
前記コネクタは複数のコネクタを備え、
前記カニューレは複数のカニューレを備え、
前記脊椎固定ロッドが前記ロッド受け部内に収容され、前記脊椎固定構造物が身体の前記脊椎に挿入される間、各カニューレの基端部に同時に接続するように構成されたリンク機構をさらに備える、請求項１に記載のシステム。
【請求項１２】
基端部と先端部とを有し、前記先端部が前記クロスバーを選択的に固定および解放するよう動作できる接続構造を備えるクロスバーインサータをさらに備える、請求項１に記載のシステム。
【請求項１３】
前記カニューレを内部に収容するように構成された筒状部材を備えるパースエイダをさらに備える、請求項１に記載のシステム。
【請求項１４】
前記カニューレが複数のブレードによって形成され、前記ブレードがそれぞれ前記コネクタの前記クロスバー受け部と一体形成され、前記ブレードがそれぞれ脆弱部で前記コネクタの前記クロスバー受け部に分離可能に結合された先端部を有し、前記ブレードの１つを内部に収容するように構成された溝を有するブレードリムーバをさらに備える、請求項１に記載のシステム。
【請求項１５】
前記エクステンダの前記先端部において前記ドリルの一部が、前記クロスバー受け部の前記レセプタクル内に収容されるように構成された、請求項１に記載のシステム。
【請求項１６】
前記ドリルビットが、前記エクステンダの前記先端部に分離可能に結合された、請求項１に記載のシステム。
【請求項１７】
前記ドリルの前記エクステンダが、その長さ方向に１つ以上の孔を備える、請求項１に記載のシステム。
【請求項１８】
前記エクステンダが、前記エクステンダ内に回転可能に収容する駆動軸を備える、請求項１に記載のシステム。
【請求項１９】
前記駆動軸の回転運動を、直角湾曲部を経て前記駆動軸から前記ドリルビットに伝達するための手段をさらに備える、請求項１８に記載のシステム。
【請求項２０】
前記ドリルが、前記基端部と前記先端部との間の前記エクステンダに沿ったハンドルであって、前記エクステンダから横方向に延びるハンドルをさらに備える、請求項１に記載のシステム。
【請求項２１】
前記クロスバー受け部が、前記ロッド受け部に対して前記コネクタの前記基端部に向かって配置される、請求項１に記載のシステム。